(57)【要約】      （修正有）【課題】ホコリや毛髪のような微細・軽量の塵埃は当然ながら微小範囲の中で比較的大きな小粒子状の塵埃でも確実に捕捉でき、且つ一旦捕捉した塵埃が脱落しにくい構造の掃除用シートを提供する。【解決手段】ベースシート１に矩形の払拭シート２を重合させ、ベースシート１と払拭シート２とを払拭シート２の短辺幅を３つに区分する２本の細幅接着部３，３で接着して、払拭シート２の短辺方向中央部に１つの中央領域２１と払拭シート２の短辺方向各外側部に２つの外側領域２２，２２を設け、払拭シート２の中央領域２１に多数のスリット２３を形成しているとともに、払拭シート２の各外側領域２２，２２を多数の短冊状細片２４に分割していることにより、中央領域の各短冊状細片２４部分で微小塵埃を捕捉できる一方、各外側領域の各スリット２３部分でやや大きい塵埃を捕捉できるようにした。【選択図】図１
0003152244.tif 000002
【実用新案登録請求の範囲】
【請求項１】
掃除具（５０）のシート取付台（５１）の底面全面を被覆し得る面積を有したベースシート（１）の少なくとも片面に矩形の払拭シート（２）を重合させてなる掃除用シートであって、
ベースシート（１）と払拭シート（２）とを払拭シート（２）の短辺幅（Ｗ）を３つに区分する２本の細幅接着部（３，３）で接着して、払拭シート（２）の短辺方向中央部に所定幅（Ｗ１）の１つの中央領域（２１）と払拭シート（２）の短辺方向各外側部に所定幅（Ｗ２）の２つの外側領域（２２，２２）を設け、
払拭シート（２）の中央領域（２１）に多数のスリット（２３，２３・・）を形成しているとともに、
払拭シート（２）の各外側領域（２２，２２）を、それぞれ長辺方向に所定小間隔をもって短辺方向に切り込みを入れてなる多数の短冊状細片（２４，２４・・）に分割している、
ことを特徴とする掃除用シート。
【請求項２】
請求項１において、
払拭シート（２）はベースシート（１）に対して複数枚重合させている、
ことを特徴とする掃除用シート。
【請求項３】
請求項１又は２において、
払拭シート（２）はベースシート（１）の表裏両面に設けている、
ことを特徴とする掃除用シート。
【請求項４】
請求項１から３のいずれか１項において、
払拭シート（２）の中央領域（２１）に形成している多数のスリット（２３，２３・・）を払拭シート（２）の長辺方向に向けている、
ことを特徴とする掃除用シート。
【考案の詳細な説明】
【技術分野】
【０００１】
本願考案は、手持ち式掃除具のシート取付台の底面に取付けて使用する掃除用シートに関するものである。
【背景技術】
【０００２】
この種の掃除用シートは、主として床面上の微小な塵埃を拭き取るのに使用されるが、従来から、シート面により多くの塵埃を捕捉するための各種の工夫が施されている。
【０００３】
例えば、特開平５−２５７６３号公報（特許文献１）や特開平５−５６９０２号公報（特許文献２）のようにシート払拭面に多数の凹凸加工（大凹凸部の中にさらに微小凹凸部がある）を施したもの、特開平１１−２７６４０１号公報（特許文献３）のように低密度で嵩高の不織布を使用したもの、特開２００１−３５３１１８号公報（特許文献４）のようにシート面に多数の開口を形成するとともに該開口部周囲に環状の突起を形成したもの、等がある。
【先行技術文献】
【特許文献】
【０００４】
【特許文献１】特開平５−２５７６３号公報
【特許文献２】特開平５−５６９０２号公報
【特許文献３】特開平１１−２７６４０１号公報
【特許文献４】特開２００１−３５３１１８号公報
【考案の概要】
【考案が解決しようとする課題】
【０００５】
ところが、上記特許文献１及び２のものは、掃除用シートの払拭面に大小の凹凸加工を施しただけであるので、該払拭面の表面積は大きくなるものの、例えば重量がある小粒子状の塵埃に対しては捕捉機能が弱く、しかも一度シート払拭面に塵埃を付着させても該塵埃が脱落し易いという問題がある。
【０００６】
又、上記特許文献３のように、低密度で嵩高の不織布を使用したものでは、繊維間に微細な空間が多いので、微小なゴミやホコリ（主として粉末状塵埃）は比較的多量に捕捉し得るものの、微小な範囲であっても比較的面積（又は体積）のある塵埃（例えば小粒子状のもの）は捕捉できにくいという問題がある。
【０００７】
さらに、特許文献４（開口部周囲を環状突起にしたもの）のものでは、環状突起内に塵埃の捕捉空間が形成されるので、一旦捕捉空間内に入った塵埃は脱落しにくいものの、環状突起内の捕捉空間に塵埃を侵入させにくく（塵埃捕捉機能が劣る）、しかもシート払拭面を床面に押付けると該環状突起が簡単にへたってしまい（塵埃捕捉空間が閉じる）、捕捉空間への塵埃補集機能が早期になくなってしまうという問題がある。
【０００８】
本願考案は、上記した公知の掃除用シートの問題点を改善することを目的としてなされたもので、ホコリや毛髪のような微細・軽量の塵埃は当然ながら微小範囲の中で比較的大きな小粒子状の塵埃でも確実に捕捉でき、且つ一旦捕捉した塵埃が脱落しにくい構造の掃除用シートを提供することを目的としている。
【課題を解決するための手段】
【０００９】
本願考案は、上記課題を解決するための手段として次の構成を有している。
【００１０】
本願考案は、手持ち式掃除具のシート取付台の底面（矩形板状）に取付けて使用する掃除用シートを対象にしている。尚、以下に示す各数値は、本願の掃除用シートを理解し易くするためのもので、特に限定するものではない。
【００１１】
この種の手持ち式掃除具のシート取付台底面（矩形板状）の大きさは、一般に長辺長さが２５〜３０cm程度で短辺長さが１０〜１５cm程度の範囲のものが多いが、以下の説明では、シート取付台底面の大きさを、便宜的に長辺長さが３０cm、短辺長さが１５cmとしたもので説明する。尚、以下の説明では、掃除具のシート取付台において、長辺方向を左右といい、短辺方向を前後ということがある。
【００１２】
本願考案の掃除用シートは、掃除具のシート取付台の底面全面を被覆し得る面積を有したベースシートの少なくとも片面に矩形の払拭シートを重合させたものである。
【００１３】
ベースシートの材料には一般に不織布が多用されるが、本願ではベースシートの材料として合成樹脂フイルムを使用してもよい。このベースシートの大きさは、適用される掃除具のシート取付台の長辺長さ（左右長さ）とほぼ同じ左右長さ（例えば３０cm）で該シート取付台の短辺長さ（前後長さ）よりかなり長い前後長さ（例えば２６cm）を有している。即ち、該ベースシートは、シート取付台の底面の面積に加えて、シート取付台の前後各側縁の上面を包み込む延出部をそれぞれ一体に形成したものである。
【００１４】
払拭シートの材料としては、シート表面に塵埃を効率よく捕捉し得るものが採用されるが、特に不織布が好適である。尚、不織布は、極細繊維が絡まったものであるから、その表面に微小な塵埃を捕捉し易いものである。この払拭シートの大きさは、適用される掃除具のシート取付台の底面の大きさとほぼ同等か、あるいは長辺長さがシート取付台と同じ（例えば３０cm）で短辺長さがシート取付台よりやや短い（例えば１３cm）程度の矩形のものである。
【００１５】
ベースシートと払拭シートとは、払拭シートの短辺幅を３つに区分する２本の細幅接着部で接着して、払拭シートの短辺方向中央部に所定幅の１つの中央領域と払拭シートの短辺方向各外側部に所定幅の２つの外側領域を設けている。２本の細幅接着部は、払拭シートがベースシートに対して不用意に剥がれないようにするためのもので、その接着方法としては熱又は高周波による接着や接着剤による接着等が採用される。
【００１６】
２本の細幅接着部は、払拭シートの長辺方向（左右方向）に向けて平行に接着されている。又、この２本の細幅接着部間の間隔（中央領域となる）は、例えば６〜７cm程度が適当であり、その場合、払拭シートの各外側領域がそれぞれ３〜３.５cmとなる。尚、払拭シートにおける各細幅接着部以外の部分（中央領域及び各外側領域）は、ベースシートに対して非接着状態となっている。
【００１７】
払拭シートの中央領域には、多数のスリットを形成している。この各スリットは、払拭シートとベースシート間に塵埃侵入用の開口部を形成するためのもので、該スリットの切り込み端縁が開く（撓む）ことによって、その開口部から塵埃を払拭シートとベースシート間のポケット内に侵入・保持させ得るようになっている。
【００１８】
他方、払拭シートの各外側領域は、それぞれ長辺方向に所定小間隔（例えば２〜３mm間隔）をもって短辺方向に切り込み（切り込み深さが２.５〜３cm程度）を入れてなる多数の短冊状細片に分割している。この各短冊状細片は、それぞれ単独で撓むことができるようになっており、従って各短冊状細片からなる払拭シートの各外側領域は塵埃を接触させ得る（捕捉し得る）表面積が極めて大きくなっている。
【００１９】
又、本願の掃除用シートでは、上記構成の払拭シートをベースシートに対して複数枚（例えば２〜５枚）重合させたものを採用できる。このように、払拭シートを複数枚重合させたものでは、各払拭シートの外側領域にある短冊状細片の数が多くなり、塵埃を接触させ得る表面積が一層大きくなる。
【００２０】
又、本願の掃除用シートでは、払拭シートをベースシートの表裏両面に設けることができる。この場合、表裏各側の払拭シートは、それぞれ１枚ずつでもよいし、それぞれ複数枚ずつでもよい。このように、払拭シートをベースシートの表裏両面に設けたものでは、片面の払拭シートが汚れた後、裏返してシート取付台に装着し直すことで、１枚の掃除用シートを２回使用できる。
【００２１】
又、本願の掃除用シートでは、払拭シートの中央領域に形成している多数のスリットの形状として、直線状のものが採用できる。該スリットを直線状にしたものでは、１本当たり所定長さ（例えば２〜５cm）のものを所定小間隔（例えば１〜１.５cm間隔）をもって中央領域の全面に散在させるとよい。その場合、各スリット（直線状のもの）の向きは、払拭シートの短辺方向に向けたりあるいは傾斜方向に向けたものでもよいが、長辺方向に向けたものが好ましい。このように、各スリットを長辺方向に向けたものでは、この掃除用シートを掃除具のシート取付台に装着して使用する際に、掃除具を前後（短辺方向）に往復移動させる関係で、各スリットが移動方向に対して直交方向に向くので、該各スリット内（ポケット）への塵埃侵入効率が良好となる。
【００２２】
本願の掃除用シートは、払拭シートが下面側に現れる状態で、掃除具のシート取付台の底面を被覆するようにして取付ける。このとき、ベースシートの前後各延出部をシート取付台の前後上面に折返して、その各折返し片の一部をシート取付台の上面に係止させておく。このように、掃除用シートの取付状態では、シート取付台の下面側に払拭シートが露出している。
【００２３】
そして、掃除具の柄を持って掃除用シートの底面で床面上を払拭すると、払拭シートの下面側に床面上の塵埃を付着させることができる。そのとき、払拭シートの各外側領域においては、多数の短冊状細片が床面に接触することで該各短冊状細片がそれぞれランダム方向に撓んでバラバラになり、各短冊状細片による塵埃接触表面が大きくなって該各短冊状細片に多量の微小塵埃（特にホコリのような粉末状塵埃）を付着させることができる。又、払拭シートの中央領域においては、該中央領域の下面に微小塵埃を付着させ得るとともに、中央領域にある多数のスリットが表裏方向に撓んで該各スリットが開口し、そのスリット開口部から払拭シートとベースシート間のポケット内に塵埃（微小範囲の中で比較的大きな小粒子状塵埃）を侵入させることができる。このようにスリットの開口部から上記ポケット内に侵入した塵埃は、払拭シートとベースシート間に挟まれているので、振動や衝撃があっても容易に脱落しない。
【考案の効果】
【００２４】
本願考案の掃除用シートには、次のような効果がある。
【００２５】
(1) ベースシートに重合させた払拭シートにおける中央領域に多数のスリットを形成しているので、使用時に塵埃を各スリットの開口部から払拭シートとベースシート間のポケット部分に侵入させることができ、微小範囲の中で比較的大きな塵埃（小粒子状塵埃）であっても確実に捕捉（保持）できる。
【００２６】
(2) 払拭シートにおける両外側領域をそれぞれ短冊状細片に分割しているので、各短冊状細片により塵埃付着面積を増大させることができる。従って、払拭シートの両外側領域においては、各短冊状細片による塵埃（ホコリのような粉末状塵埃のほかに毛髪のような軽量繊維を含む）の捕捉能力を増大させることができる。
【００２７】
(3) 払拭シートの中央領域部分（多数のスリットがある）において微小範囲の中でも比較的大きな塵埃（小粒子状塵埃）を捕捉できる一方、払拭シートの両外側領域（多数の短冊状細片に分割されている）において多量の微小塵埃（ホコリのような粉末状塵埃のほかに毛髪のような軽量繊維を含む）を捕捉できるので、単一の掃除用シートであっても大小の各塵埃を同時に捕捉できる。
【００２８】
(4) 払拭シートをベースシートに対して複数枚重合させたものでは、各払拭シートのそれぞれ両外側領域にある短冊状細片の数がさらに多くなり、塵埃捕捉機能が一層良好になる。
【００２９】
(5) 払拭シートをベースシートの表裏両面に設けたものでは、片面が汚れても裏返して再利用でき、１枚の掃除用シートを２回使用できる。
【００３０】
(6) 払拭シートの中央領域に形成している各スリットを払拭シートの長辺方向（左右方向）に向けたものでは、払拭作業時に掃除具を前後に押し引き操作する関係で、その移動方向に対して各スリットが直交方向に向くので、該各スリットへの塵埃侵入効率が良好となる。
【図面の簡単な説明】
【００３１】
【図１】本願の第１実施例の掃除用シートと掃除具の斜視図である。
【図２】図１の掃除用シートの一部拡大斜視図である。
【図３】図１の掃除用シートのIII−III拡大断面図である。
【図４】図１の掃除用シート付き掃除具の使用状態を示す断面図である。
【図５】本願の第２実施例の掃除用シートの図３相当図である。
【図６】（Ａ）〜（Ｃ）はそれぞれ本願の掃除用シートにおける払拭シートの中央領域に形成されるスリットの他の形状例（第３〜第５実施例）を示す平面図である。
【考案を実施するための形態】
【実施例】
【００３２】
図１〜図６を参照して本願実施例の掃除用シートを説明すると、図１〜図４には本願の第１実施例を示し、図５には本願の第２実施例を示し、図６の（Ａ）〜（Ｂ）にはそれぞれ第１実施例の払拭シート２の中央領域２１に形成されるスリット２３の変形例（第３〜第５実施例）を示している。
【００３３】
尚、本願各実施例の掃除用シートの構成は、上記した「課題を解決するための手段」の項で説明したものと多々重複するが、再度以下に説明する。又、以下に示す各数値は、本願の掃除用シートを理解し易くするためのもので、要旨を変更しない範囲で適宜に変更できるものである。
【００３４】
本願各実施例の掃除用シートＳは、図１及び図４に示すように手持ち式の掃除具５０のシート取付台５１に取付けて使用するものである。この実施例で使用する掃除具５０（図１及び図４）は、矩形板状のシート取付台５１の上面中央部に柄５２を前後・左右に傾動自在に取付けて構成されている。又、シート取付台５１の上面には、シート片の一部を係止するためのスリット状の係止部５３（４箇所）が形成されている。
【００３５】
シート取付台５１の大きさは、一般に長辺長さが２５〜３０cm程度で短辺長さが１０〜１５cm程度の範囲の面積で、厚さが２cm程度のものが多い。そして、以下の説明では、シート取付台５１の底面の大きさを長辺長さＬが３０cmで短辺長さＭが１５cmとしたもので説明する。尚、以下の説明では、掃除具のシート取付台において、長辺方向を左右といい、短辺方向を前後ということがある。
【００３６】
図１〜図４に示す第１実施例の掃除用シートは、掃除具５０のシート取付台５１の底面全面を被覆し得る面積を有したベースシート１の表裏両面にそれぞれ１枚ずつの払拭シート２，２を重合させたものである。尚、他の実施例では、払拭シート２はベースシート１の片面のみに重合させたものでもよい。
【００３７】
ベースシート１及び各払拭シート２，２の材料としては、それぞれ不織布が採用されている。不織布は、極細繊維が絡まったものであるから、その表面に微小な塵埃を捕捉し易いものである。又、ベースシート１及び各払拭シート２，２の厚さは、１〜２mm程度のものをが適当である。尚、ベースシート１は、直接床面に接触させる必要がない（塵埃捕捉機能が必要でない）ので、他の実施例では該ベースシート１として不織布に代えて合成樹脂フイルムを使用してもよい。
【００３８】
ベースシート１の大きさは、図１に示すように、適用される掃除具のシート取付台５１の長辺長さ（左右長さ）Ｌとほぼ同じ左右長さＬ（例えば３０cm）で該シート取付台５１の短辺長さ（前後長さ）Ｍよりかなり長い前後長さＭ1（例えば２６cm）の面積を有している。即ち、該ベースシート１は、シート取付台５１の底面の面積に加えて、シート取付台５１の前後各側縁の上面を包み込む延出部１１，１１をそれぞれ一体に形成したものである。
【００３９】
ベースシート１の前後各延出部１１，１１は、図３に鎖線図示（符号１１′）するように上側に折り返して、図４に示すようにシート取付台５１の前後各側縁部上面を包み込むためのものである。そして、各延出部１１，１１でシート取付台５１の前後各側縁部上面を包み込み、該延出部１１，１１の一部（各２箇所）をシート取付台上面の各係止部５３，５３に係入させることで、掃除用シートＳをシート取付台５１に取付け得るようになっている。
【００４０】
各払拭シート２，２の大きさは、適用される掃除具のシート取付台５１の長辺長さＬと同じ（例えば３０cm）で短辺長さＷがシート取付台５１の短辺長さＭ（１５cm）りやや短い（例えば１３cm）程度のものである。
【００４１】
ベースシート１と各払拭シート２，２とは、該各払拭シート２，２をそれぞれベースシート１の表裏各側における前後長さＭ1の中央部に重合させた状態で、各払拭シート２，２の短辺幅Ｗを３つに区分する２本の細幅接着部３，３で接着して、各払拭シート２，２の短辺方向中央部に所定幅Ｗ1の１つの中央領域２１と各払拭シート２，２の短辺方向各外側部にそれぞれ所定幅Ｗ2の２つの外側領域２２，２２を設けている。２本の細幅接着部３，３は、各払拭シート２，２がベースシート１に対して不用意に剥がれないようにするためのものであるが、この実施例ではベースシート１及び各払拭シート２，２が不織布（ベースシート１は合成樹脂フイルムの場合もある）であるので、各細幅接着部３，３を熱又は高周波等によって接着させている。尚、各細幅接着部（熱接着部）３，３の各幅Ｎは２〜４mm程度が適当である。
【００４２】
この２本の細幅接着部３，３は、払拭シート２，２の長辺方向（左右方向）に向けて平行に接着されている。又、この２本の細幅接着部３，３間の間隔Ｗ1（中央領域２１となる）は、例えば６〜７cm程度が適当であり、その場合、各払拭シート２，２の各外側領域２２，２２の各幅Ｗ2，Ｗ2がそれぞれ３〜３.５cmとなる。尚、各払拭シート２，２における各細幅接着部３，３以外の部分（中央領域２１及び各外側領域２２，２２）は、ベースシート１に対して非接着状態となっている。
【００４３】
表裏各払拭シート２，２の各中央領域２１，２１には、それぞれ多数のスリット２３，２３・・が形成されている。この各スリット２３，２３・・は、図１〜図４の第１実施例では、各中央領域２１，２１において短辺方向に所定間隔（例えば１〜１.５cm間隔）をもって複数列状態（図示例では５列状態）で長辺方向に１本あたり所定長さ（例えば２〜４cm程度）の直線状のものを小間隔（例えば３〜５mm間隔）の非切断部を介して不連続状態で形成している。
【００４４】
この各スリット２３，２３・・は、中央領域２１における払拭シート２，２とベースシート１間に塵埃侵入用の開口部を形成するためのものであって、使用時（床面払拭時）において各スリット２３の切り込み端縁が図２及び図３に鎖線図示（符号２３′）するように開く（撓む）ことによって、図４に示すようにその開口部からかなりの大きさ（例えば直径が２〜３mmの小粒子状）の塵埃Ｐ2を払拭シート２とベースシート１間（ポケット）に侵入・保持させ得るようになっている。
【００４５】
他方、各払拭シート２，２の各外側領域２２，２２は、それぞれ長辺方向に所定小間隔（例えば２〜３mm間隔）をもって短辺方向に切り込み（切り込み深さが２.５〜３cm程度）を入れてなる多数の短冊状細片２４，２４・・に分割している。この各短冊状細片２４，２４・・は、図２及び図４に鎖線図示（符号２４′）するようにそれぞれ単独で撓むことができるようになっている。従って、各短冊状細片２４，２４・・からなる各払拭シート２，２の各外側領域２２，２２は、各短冊状細片２４，２４・・がそれぞれバラバラになることにより、床面上の微小塵埃を接触させ得る（捕捉し得る）表面積が極めて大きくなっている。
【００４６】
第１実施例の掃除用シートＳは、図４に示すように、払拭シート２をシート取付台５１の底面にあてがった状態でベースシート１の前後各延出部１１，１１でシート取付台５１の前後各側縁部を包み込むようにして取付けられる。このとき、ベースシート１の下面側の払拭シート２は下方に露出しているが、ベースシート１の上面側の払拭シート２はシート取付台５１の下面とベースシート１の上面との間に扁平状態で挟まれている。
【００４７】
そして、この掃除用シート付きの掃除具５０を使用するには、掃除用シートＳの下面を払拭すべき床面に接触させた状態で、柄５２を持って押し操作（前進）又は引き操作（後退）することで下面側払拭シート２により床面上を払拭する。
【００４８】
すると、払拭シート２の前後両外側領域２２，２２においては、各短冊状細片２４，２４・・がバラバラになった状態で床面に接触するので、各外側領域２２，２２（各短冊状細片２４，２４・・）の表面積が極めて大きくなっており、各短冊状細片２４，２４・・のそれぞれ表面に床面上の微小塵埃を多量に付着させることができる（塵埃捕捉量を多くできる）。又、そのとき、各短冊状細片２４，２４・・は不織布製（微細繊維が絡まったもの）であるので、ホコリのような微小塵埃Ｐ1や毛髪等の軽量繊維Ｐ3は各外側領域２２，２２において各短冊状細片２４，２４・・の表面（微細繊維）に絡まった状態で保持されるようになり、その捕捉力はかなり強いものとなる（脱落しにくい）。
【００４９】
他方、払拭シート２の中央領域２１においては、該中央領域２１も床面に対して前後に摺動するので、中央領域２１の各スリット２３，２３・・の切り込み端縁が撓んで開口するようになる。特に、この第１実施例のように、各スリット２３，２３・・を払拭シート２の長辺方向（左右方向）に向けて設けていると、払拭作業時には掃除用シート付きのシート取付台５１を前後に移動させる関係で、各スリット２３，２３・・の長さ方向がシート取付台移動方向とは直交方向に向き、該各スリット２３，２３・・の切り込み端縁が撓んで開口し易くなる。そして、各スリット２３，２３・・が開口すると、その開口部から微小範囲の中で比較的大きな塵埃Ｐ2（例えば直径が２〜３mm程度の小粒子状塵埃）が侵入し、該塵埃Ｐ2が払拭シート２とベースシート１間（ポケット）に挟まれた状態で保持される。このように、各スリット２３，２３・・間に侵入・保持された塵埃Ｐ2は、付着しにくい性状のものであったり、比較的大きいものであったり、さらに振動や衝撃があっても容易に脱落することがなく、塵埃捕捉状態が確実となる。
【００５０】
このように、第１実施例の掃除用シートＳでは、単一のもので、払拭シート２の両外側領域２２，２２（各短冊状細片２４）による微小な塵埃Ｐ1，Ｐ3を多量に捕捉できるとともに、払拭シートの中央領域２１（各スリット２３）による比較的大きい塵埃Ｐ2も同時に捕捉できる。
【００５１】
又、この第１実施例の掃除用シートＳでは、片面が使用により汚れると、該掃除用シートＳをシート取付台５１から一旦取外し、裏返しにして再度シート取付台５１に取付けると、新しい払拭シート２が現れる。従って、１枚の掃除用シートＳを２回使用できる。
【００５２】
図５に示す第２実施例の掃除用シートＳは、１枚のベースシート１の表裏各面にそれぞれ３枚ずつの払拭シート２，２，２を重合させて、それらの合計７枚のシートの２箇所を細幅接着部３，３で接着させている。尚、図５は上記第１実施例の図３相当図である。
【００５３】
この第２実施例（図５）の掃除用シートＳでも、各細幅接着部３，３は、上記第１実施例（図３）と同様に払拭シート２の短辺幅を３つに区分する位置においてそれぞれ合計７枚のシートをまとめて熱接着させている。
【００５４】
又、この第２実施例の掃除用シートＳに使用されている各払拭シート（６枚）２，２・・も、第１実施例のものと同様に短辺方向中央部に所定幅（図３のＷ1）の中央領域２１と、短辺方向各外側部にそれぞれ所定幅（図３のＷ2）の外側領域２２，２２を設けている。そして、各中央領域２１，２１・・には、それぞれ多数のスリット２３を形成している一方、各外側領域２２，２２・・には、長辺方向に所定小間隔をもって多数の短冊状細片２４，２４・・を形成している。尚、この第２実施例の掃除用シートＳに使用されている各払拭シート２（合計６枚）は、それぞれ上記第１実施例の掃除用シートの払拭シートと同じものである。又、図５の第２実施例おけるその他の構成は、上記第１実施例のものと同様である。
【００５５】
尚、図５の第２実施例では、払拭シート２をベースシート１の表裏各側に３枚ずつ使用しているが、この各側の払拭シート２の枚数はそれぞれ２〜５枚程度の範囲で適宜に設定できる。又、他の実施例では、ベースシート１の片面側にのみ複数枚の払拭シート２を重合させたものでもよい。
【００５６】
この第２実施例の掃除用シートＳでは、ベースシート１の表裏各側にそれぞれ複数枚（図５の例では３枚ずつ）の払拭シート２，２・・を重合させているので、各払拭シート２，２・・のそれぞれ外側領域２２，２２にある各短冊状細片２４，２４・・の数が多くなり、塵埃を接触させ得る表面積が一層大きくなって塵埃捕捉機能が一層向上する。
【００５７】
尚、図５の第２実施例の掃除用シートＳでも、ベースシート１の表裏各側にそれぞれ複数枚ずつの払拭シート２，２，２を重合させているので、掃除用シートの片面が汚れると、該掃除用シートをシート取付台に裏返して装着し直すことで２回使用できる。
【００５８】
図６の（Ａ）〜（Ｃ）には、払拭シート２の中央領域２１に形成された各スリット２３，２３・・のそれぞれ変形例（第３〜第５実施例）を示している。
【００５９】
図６（Ａ）の第３実施例のものでは、各スリット２３，２３・・は、払拭シート２の中央領域２１において短い直線状のものを払拭シート２の長辺方向に所定小間隔（例えば１〜１.５cm間隔）をもって短辺方向と平行に向けて多数形成している。
【００６０】
図６（Ｂ）の第４実施例のものでは、各スリット２３，２３・・は、払拭シート２の中央領域２１において短い直線状のものを払拭シート２の長辺方向に対して角度４５°程度傾斜する方向に向けて多数形成している。
【００６１】
図６（Ｃ）の第５実施例のものでは、各スリット２３，２３・・は、払拭シート２の中央領域２１において円弧状に切り込みを入れたものを多数形成している。この場合、円弧状の各スリット２３，２３・・では、該スリット部分が舌片状に開放されるが、その開放される向きが前方側に開放されるものと後方側に開放されるものとが散在するように形成するとよい。
【００６２】
又、図６（Ａ）〜（Ｃ）の各スリット変形例は、ベースシート１の片面だけに設けた払拭シート２に採用してもよく、又は第１実施例（図１〜図４）のようにベースシート１の表裏両面に設けた各払拭シート２，２に採用してもよく、あるいは第２実施例（図５）のようにベースシート１の表裏両面にそれぞれ複数枚ずつ設けた各払拭シート２，２・・にそれぞれ採用してもよい。
【図１】
0003152244.tif 000003
【図２】
0003152244.tif 000004
【図３】
0003152244.tif 000005
【図４】
0003152244.tif 000006
【図５】
0003152244.tif 000007
【図６】
0003152244.tif 000008